(57)【要約】【課題】ショルダーベルトを有する鞄を手提げ用途で使用する際のショルダーベルトの損傷を防止するとともに見栄えを向上させること。【解決手段】本考案では、ショルダーベルトを有する鞄において、前後開閉可能な鞄本体の後側鞄本体にショルダーベルトの始端部と終端部とを取付けるとともに、ショルダーベルトの中途部と前側鞄本体とを係止可能に構成した。特に、前記ショルダーベルトは、中途部と前側鞄本体とを係止した状態で前後側鞄本体の開放を阻止するように構成し、始端部又は終端部、若しくは、始端部及び終端部を左右に移動・回動可能な状態で後側鞄本体に取付け、長さ調節機構を設けた。【選択図】図１
0003124469.tif 000002
【実用新案登録請求の範囲】
【請求項１】
ショルダーベルトを有する鞄において、
前後開閉可能な鞄本体の後側鞄本体にショルダーベルトの始端部と終端部とを取付けるとともに、ショルダーベルトの中途部と前側鞄本体とを係止可能に構成したことを特徴とする鞄。
【請求項２】
前記ショルダーベルトは、中途部と前側鞄本体とを係止した状態で前後側鞄本体の開放を阻止するように構成したことを特徴とする請求項１に記載の鞄。
【請求項３】
前記ショルダーベルトは、始端部又は終端部、若しくは、始端部及び終端部を左右に移動可能な状態で後側鞄本体に取付けたことを特徴とする請求項１又は請求項２に記載の鞄。
【請求項４】
前記ショルダーベルトは、始端部又は終端部、若しくは、始端部及び終端部を左右に回動可能な状態で後側鞄本体に取付けたことを特徴とする請求項１〜請求項３のいずれかに記載の鞄。
【請求項５】
前記ショルダーベルトは、長さ調節機構を有することを特徴とする請求項１〜請求項４のいずれかに記載の鞄。
【考案の詳細な説明】
【技術分野】
【０００１】
本考案は、鞄に関するものであり、特に、ショルダーベルトを有する鞄に関するものである。
【背景技術】
【０００２】
従来より、主に手提げ用途に使用される鞄にも、利便性を付加するためにショルダーベルトを設けたものが知られている。
【０００３】
この従来のショルダーベルトを設けた鞄では、前後に開閉可能に形成した鞄本体の前後側面にショルダーベルトの始端部と終端部とを取付けていた（たとえば、特許文献１参照。）。
【特許文献１】特開２００５−３０４９５６号公報
【考案の開示】
【考案が解決しようとする課題】
【０００４】
ところが、上記従来のショルダーベルト付きの鞄では、手提げ用途で使用する際にはショルダーベルトが鞄本体から垂れ下がった状態となってしまい、ショルダーベルトが地面と接触して損傷してしまうおそれがあった。
【０００５】
また、ショルダーベルトが鞄本体から垂れ下がった状態では、見栄えが悪く、特にビジネス用途ではだらしなく見えてしまい、身だしなみの観点からも好ましいものではなかった。
【課題を解決するための手段】
【０００６】
そこで、請求項１に係る本考案では、ショルダーベルトを有する鞄において、前後開閉可能な鞄本体の後側鞄本体にショルダーベルトの始端部と終端部とを取付けるとともに、ショルダーベルトの中途部と前側鞄本体とを係止可能に構成することにした。
【０００７】
また、請求項２に係る本考案では、前記請求項１に係る本考案において、前記ショルダーベルトは、中途部と前側鞄本体とを係止した状態で前後側鞄本体の開放を阻止するように構成することにした。
【０００８】
また、請求項３に係る本考案では、前記請求項１又は請求項２に係る本考案において、前記ショルダーベルトは、始端部又は終端部、若しくは、始端部及び終端部を左右に移動可能な状態で後側鞄本体に取付けることにした。
【０００９】
また、請求項４に係る本考案では、前記請求項１〜請求項３のいずれかに係る本考案において、前記ショルダーベルトは、始端部又は終端部、若しくは、始端部及び終端部を左右に回動可能な状態で後側鞄本体に取付けることにした。
【００１０】
また、請求項５に係る本考案では、前記請求項１〜請求項４のいずれかに係る本考案において、前記ショルダーベルトは、長さ調節機構を有することにした。
【考案の効果】
【００１１】
そして、本考案では、以下に記載する効果を奏する。
【００１２】
すなわち、請求項１に係る本考案では、ショルダーベルトを有する鞄において、前後開閉可能な鞄本体の後側鞄本体にショルダーベルトの始端部と終端部とを取付けるとともに、ショルダーベルトの中途部と前側鞄本体とを係止可能に構成しているために、ショルダーベルトの中途部を前側鞄本体に係止することで、鞄本体にショルダーベルトを近接させた状態で収容することができるので、鞄本体からショルダーベルトが垂れ下がってしまうのを防止することができ、これにより、ショルダーベルトが地面と接触して損傷してしまうのを防止することができるとともに、外観上の見栄えを良好なものとすることができる。
【００１３】
また、請求項２に係る本考案では、ショルダーベルトの中途部と前側鞄本体とを係止した状態で前後側鞄本体の開放を阻止するように構成しているために、ショルダーベルトの中途部を前側鞄本体に係止して鞄本体にショルダーベルトを収容することで、誤って鞄本体が開放状態となって鞄本体の内部から収納物が落下してしまうのを未然に防止することができる。
【００１４】
また、請求項３に係る本考案では、ショルダーベルトの始端部又は終端部、若しくは、始端部及び終端部を左右に移動可能な状態で後側鞄本体に取付けているために、使用者の体型や姿勢や好みなどに応じてショルダーベルトの位置を容易に変更することができ、使い勝手を向上させることができる。
【００１５】
また、請求項４に係る本考案では、ショルダーベルトの始端部又は終端部、若しくは、始端部及び終端部を左右に回動可能な状態で後側鞄本体に取付けているために、使用者の体型や姿勢や好みなどに応じてショルダーベルトの傾斜角度を容易に変更することができ、使い勝手を向上させることができる。
【００１６】
また、請求項５に係る本考案では、ショルダーベルトに長さ調節機構を設けているために、ショルダーベルトの中途部と前側鞄本体とを係止した状態では、ショルダーベルトの長さを短くすることで、鞄本体にショルダーベルトをより一層近接させた状態で収容することができ、一方、ショルダーベルトの中途部と前側鞄本体との係止を解除した状態では、使用者の体型や姿勢や好みなどに応じてショルダーベルトの長さを容易に変更することができ、使い勝手を向上させることができる。
【考案を実施するための最良の形態】
【００１７】
以下に、本考案に係る鞄の具体的な構造について、図面を参照しながら説明する。
【００１８】
図１〜図３に示すように、本考案に係る鞄１は、公知の手提げ用鞄と同様の鞄本体２に肩掛け用のショルダーベルト３を取付けて、手提げ用途でも肩掛け用途でも使用できるようにしたものである。
【００１９】
鞄本体２は、矩形箱型状の後側鞄本体４の前側開口下端部に矩形板状の前側鞄本体５の下端部を連結するとともに、左右側部と上部とに連設するファスナー６で前後側鞄本体4,5を前後に開閉できるように構成している。
【００２０】
また、鞄本体２は、後側鞄本体４の上部に持ち手７を取付けるとともに、後側鞄本体４の背面の上端部にショルダーベルト３の始端部を取付ける一方、後側鞄本体４の背面の下端部にショルダーベルト３の終端部を取付けている。
【００２１】
鞄１では、鞄本体２の後側鞄本体４の背面上下端部に左右幅方向に伸延させた状態で上下一対の支持桿8,9を形成し、各支持桿8,9に支持体10,11を左右幅方向に向けて摺動自在に装着し、各支持体10,11にショルダーベルト３の端部を連結ピン12,13で左右幅方向に向けて回動自在に連結している。
【００２２】
これにより、鞄１では、ショルダーベルト３の始端部及び終端部を左右幅方向に向けて移動可能かつ回動可能な状態で後側鞄本体４の背面に取付けている。
【００２３】
ショルダーベルト３は、上側の支持体10に連結した始端ベルト14と、下側の支持体11に連結した終端ベルト15と、これら始端ベルト14と終端ベルト15との間に介在する中途ベルト16とで構成している。
【００２４】
そして、ショルダーベルト３は、始端ベルト14と中途ベルト16との間に係止片17を取付けており、この係止片17は、前側鞄本体５の前面中央上部に取付けた係止体18に係止できるようになっている。
【００２５】
これにより、ショルダーベルト３は、中途部を前側鞄本体５に係止できる。この係止した状態では、ショルダーベルト３が鞄本体２の外側面に近接して収容されるようになっている。特に、鞄１では、前後側鞄本体4,5の下端同士を連結することによって前後開閉可能に鞄本体２を構成し、後側鞄本体４の背面上部にショルダーベルト３の始端部を接続する一方、前側鞄本体５の前面上部に係止体18を形成しているために、鞄本体２の上部においてショルダーベルト３の係止片17を係止体18に係止でき、この係止した状態では、鞄本体２の上部においてショルダーベルト３の始端ベルト14によって鞄本体２の開閉が阻止されるようになっている。
【００２６】
また、ショルダーベルト３は、終端ベルト15と中途ベルト16との間に公知の連結・分離機構19を介設しており、ショルダーベルト３の中途部で容易に分離することができるようになっている。
【００２７】
さらに、ショルダーベルト３は、終端ベルト15の中途部に公知の長さ調節機構20を介設しており、この長さ調節機構20を利用してショルダーベルト３の長さを調節できるようになっている。
【００２８】
以上に説明したように、上記構成の鞄１では、前後開閉可能な鞄本体２の後側鞄本体４にショルダーベルト３の始端部と終端部とを取付けるとともに、ショルダーベルト３の中途部と前側鞄本体５とを係止可能に構成している。
【００２９】
そのため、上記鞄１では、ショルダーベルト３の中途部を前側鞄本体５に係止することで、鞄本体２にショルダーベルト３を近接させた状態で収容することができる。これにより、上記鞄１では、鞄本体２からショルダーベルト３が垂れ下がってしまうのを防止することができて、ショルダーベルト３が地面と接触して損傷してしまうのを防止することができるとともに、外観上の見栄えを良好なものとすることができる。
【００３０】
また、上記鞄１では、ショルダーベルト３の中途部と前側鞄本体５とを係止した状態で前後側鞄本体4,5の開放を阻止するように構成している。
【００３１】
そのため、上記鞄１では、ショルダーベルト３の中途部を前側鞄本体５に係止して鞄本体２にショルダーベルト３を収容することで、誤って鞄本体２が開放状態となって鞄本体２の内部から収納物が落下してしまうのを未然に防止することができる。
【００３２】
また、上記鞄１では、ショルダーベルト３の始端部や終端部を左右に移動可能な状態で後側鞄本体４に取付けている。
【００３３】
そのため、上記鞄１では、使用者の体型や姿勢や好みなどに応じてショルダーベルト３の位置を容易に変更することができ、鞄１の使い勝手を向上させることができる。
【００３４】
また、上記鞄１では、ショルダーベルト３の始端部や終端部を左右に回動可能な状態で後側鞄本体４に取付けている。
【００３５】
このように、上記鞄１では、ショルダーベルト３の始端部や終端部を左右に移動可能かつ回動可能な状態で後側鞄本体４に取付けているために、使用者の体型や姿勢や好みなどに応じてショルダーベルト３を鞄本体２の右側や中央や左側で縦掛けにしたり或いはショルダーベルト３を上右下左状や上左下右状のたすき掛けにして使用することができ、これにより、益々鞄１の使い勝手を向上させることができる。
【００３６】
そのため、上記鞄１では、使用者の体型や姿勢や好みなどに応じてショルダーベルト３の傾斜角度を容易に変更することができ、使い勝手を向上させることができる。
【００３７】
また、上記鞄１では、ショルダーベルト３に長さ調節機構20を設けている。
【００３８】
そのため、上記鞄１では、ショルダーベルト３の中途部と前側鞄本体５とを係止した状態では、ショルダーベルト３の長さを短くすることで、鞄本体２にショルダーベルト３をより一層近接させた状態で収容することができ、一方、ショルダーベルト３の中途部と前側鞄本体５との係止を解除した状態では、使用者の体型や姿勢や好みなどに応じてショルダーベルト３の長さを容易に変更することができ、使い勝手を向上させることができる。
【図面の簡単な説明】
【００３９】
【図１】本考案に係る鞄を示す斜視図（（ａ）前側、（ｂ）後側）。
【図２】同正面図（ａ）、同背面図（ｂ）。
【図３】同側面図（ショルダーベルト収容状態）（ａ）、同側面断面図（ｂ）、同側面図（ショルダーベルト使用状態）（ｃ）、同部分拡大断面図（ｄ）。
【符号の説明】
【００４０】
１  鞄                                ２  鞄本体
３  ショルダーベルト                  ４  後側鞄本体
５  前側鞄本体                        ６  ファスナー
７  持ち手                            8,9  支持桿
10,11  支持体                         12,13  連結ピン
14  始端ベルト                        15  終端ベルト
16  中途ベルト                        17  係止片
18  係止体                            19  連結・分離機構
20  長さ調節機構
【図１】
0003124469.tif 000003
【図２】
0003124469.tif 000004
【図３】
0003124469.tif 000005